(57)【要約】      （修正有）【課題】共通取付け部が最上段に位置する鍵ユニットのヒンジ厚肉部の剛性を適度に保った状態で、外観を悪化させないようにする鍵盤装置を提供する。【解決手段】鍵盤装置は、複数の鍵３１，４１，５１と、複数のヒンジ部と、共通取付け部とを有し、それぞれ一体成型された複数の鍵ユニットを備えている。共通取付け部が最上段に位置しない鍵ユニットの複数のヒンジ厚肉部の上面に、樹脂成型する際のゲート対応部３２ａ１，４２ａ１をそれぞれ位置させる。共通取付け部が最上段に位置する鍵ユニットにおけるヒンジ厚肉部５２ａにおいて、複数のゲート対応部３２ａ１，４２ａ１と同じ左右方向の位置を含むヒンジ厚肉部５２ａの左右方向の一部における前後方向の長さを小さくする。ヒンジ厚肉部５２ａの左右方向の一部の下面を、その上面よりも、ゲート対応部３２ａ１，４２ａ１に対して遠ざける。【選択図】図８
2016095484.tif 000002
【特許請求の範囲】
【請求項１】
前後方向に延設されていて左右方向に平行に配列された複数の鍵と、
左右方向に延設された長尺状の共通取付け部と、
前記複数の鍵の後端と前記共通取付け部との間にそれぞれ設けられて板面を水平にした平板状の複数のヒンジ部とを有し、それぞれ樹脂により一体成型された複数の鍵ユニットを備え、
前記複数の鍵ユニットの共通取付け部をそれぞれ鍵フレーム上に重ねて載置して固定した鍵盤装置において、
前記複数の鍵ユニットの複数のヒンジ部を、
鍵の後面に接続されて厚肉に形成したヒンジ厚肉部と、
前記ヒンジ厚肉部の後面に接続されるとともに、前記共通取付け部の前面に接続されて薄肉に形成したヒンジ薄肉部とでそれぞれ構成し、
前記最上段の共通取付け部の下方に位置する共通取付け部を有する鍵ユニットの複数のヒンジ厚肉部の上面に、樹脂成型する際のゲート対応部をそれぞれ位置させ、
前記共通取付け部が最上段に位置する鍵ユニットにおけるヒンジ厚肉部において、
前記複数のゲート対応部と同じ左右方向の位置を含むヒンジ厚肉部の左右方向の一部における前後方向の長さを、前記ヒンジ厚肉部の他の部分における前後方向の長さよりも小さくして、前記ヒンジ厚肉部の左右方向の一部の後端を前記他の部分よりも前方に位置させ、かつ
前記ヒンジ厚肉部の左右方向の一部の下面の前記ゲート対応部側の端部から前記ゲート対応部までの水平距離を、前記ヒンジ厚肉部の左右方向の一部の上面の前記ゲート対応部側の端部から前記ゲート対応部までの水平距離よりも大きくしたことを特徴とする鍵盤装置。
【請求項２】
前記共通取付け部が最上段に位置する鍵ユニットにおける複数のヒンジ部のうちの少なくとも一つにおいて、前記ヒンジ厚肉部の左右方向の一部を、前記ヒンジ厚肉部の他の部分における左右方向の両外側端の少なくとも一方の外側端から左又は右に突出した突出部で構成した請求項１に記載の鍵盤装置。
【請求項３】
前記共通取付け部が最上段に位置する鍵ユニットにおける複数のヒンジ部のうちの少なくとも一つにおいて、前記ヒンジ厚肉部の左右方向の一部を、前記ヒンジ厚肉部の後面を前方に切り欠いた凹部で構成した請求項１に記載の鍵盤装置。
【請求項４】
前記凹部の内側面は、前後及び左右の両方向において下方に向かうにしたがって外側に広がっており、
前記凹部の下端位置から上端位置までの前後方向の距離を、前記凹部の下端位置から上端位置までの左右方向の距離よりも大きくしたことを特徴とする請求項３の鍵盤装置。
【請求項５】
前記共通取付け部が最上段に位置する鍵ユニットにおける複数のヒンジ部のうちの少なくとも一つにおいて、前記ヒンジ厚肉部の左右方向の一部を、前記ヒンジ厚肉部の後面を前方に切り欠いて、前後及び左右の両方向において下方に向かうにしたがって外側に広がった凹部で構成し、
前記共通取付け部が最上段に位置する鍵ユニットにおける複数のヒンジ部のうちの少なくとも一つにおいて、前記ヒンジ厚肉部の左右方向の一部を、前記ヒンジ厚肉部の他の部分における左右方向の両外側端の少なくとも一方の外側端から左又は右に突出した突出部で構成し、
前記ヒンジ厚肉部の左右方向の一部を前記凹部で構成したヒンジ厚肉部において、前記凹部の下端位置から上端位置までの前後方向の距離を、前記凹部の下端位置から上端位置までの左右方向の距離よりも大きくし、かつ
前記ヒンジ厚肉部の左右方向の一部を前記突出部で構成したヒンジ厚肉部において、前記突出部の前記ゲート対応部側の下端位置から上端位置までの前後方向の距離を、前記凹部の下端位置から上端位置までの左右方向の距離よりも大きくしたことを特徴とする請求項１に記載の鍵盤装置。
【発明の詳細な説明】
【技術分野】
【０００１】
本発明は、複数の鍵の後端を左右方向に延設された長尺状の共通取付け部にそれぞれ接続させた複数の鍵ユニットを、鍵フレーム上に重ねて載置して固定した鍵盤装置に関する。
【背景技術】
【０００２】
従来から、樹脂により一体成型された複数の鍵ユニットを鍵フレームに組付けるようにした鍵盤装置はよく知られている。複数の鍵ユニットは、樹脂によりそれぞれ一体成型されており、前後方向に延設されて左右方向に平行に配列された複数の鍵と、複数の鍵の後端と共通取付け部との間にそれぞれ設けられて板面を水平にした平板状の複数のヒンジ部とをそれぞれ備えている。下記特許文献１，２には、音名Ｄ，Ｆ，Ａの複数の白鍵を有する第１鍵ユニットと、音名Ｃ，Ｅ，Ｇ，Ｂの複数の白鍵を有する第２鍵ユニットと、音名Ｃ＃，Ｄ＃，Ｆ＃，Ｇ＃，Ａ＃の複数の黒鍵を有する第３鍵ユニットとを、それらの共通取付け部にてこの順に重ねて鍵フレームの後端部に載置して、第１乃至第３鍵ユニットを鍵フレームの後端部上に雄ねじにより固定するようにしている。
【０００３】
このような第１乃至第３鍵ユニットにおいては、ヒンジ部は、弾性変形量の少ないヒンジ厚肉部と、白鍵及び黒鍵の押離鍵時に大きく弾性変形して白鍵及び黒鍵の前端部の上下方向の揺動を許容する一対のヒンジ薄肉部とで構成されている。そして、ヒンジ厚肉部の前端を白鍵及び黒鍵の後面に一体的に接続し、かつヒンジ薄肉部の前端をヒンジ厚肉部の後端に接続するとともにヒンジ薄肉部の後端を共通取付け部の前面に接続するようにしている。そして、共通取付け部が最上段に位置する第３鍵ユニットのヒンジ厚肉部を一対のヒンジ薄肉部の間にて後方に突出させて、突出した部分の上面に樹脂成型する際のゲート対応部を位置させている。また、この第３鍵ユニットのヒンジ厚肉部の後方に突出させた部分における後端部の一部を切り欠いて、第１及び第２鍵ユニットのヒンジ厚肉部の上面の一部が第３鍵ユニットのヒンジ厚肉部の下面に対向しないようにしている。そして、この第３鍵ユニットのヒンジ厚肉部の下面に対向しない第１及び第２鍵ユニットのヒンジ厚肉部の上面に、樹脂成型する際のゲート対応部を位置させている。
【０００４】
このようなヒンジ厚肉部にゲート対応部を位置させる理由は、外観部にゲート対応部を位置させると成型後に残るゲート跡が鍵盤装置の外観を悪化させるとともに、ヒンジ薄肉部の後方にゲート対応部を位置させると、鍵の前端まで樹脂をスムーズに流し込むことが難しくなるからである。特に、白鍵は、前後長さが大きいので、その前端まで樹脂を流し込むことが難しい。また、第３鍵ユニットのヒンジ厚肉部の下面に対向しない第１及び第２鍵ユニットのヒンジ厚肉部の上面にゲート対応部を位置させる理由は、ゲート跡が第３鍵ユニットのヒンジ厚肉部の下面に接触して、異音が発生したり、鍵タッチを悪化したりする可能性があるからである。
【先行技術文献】
【特許文献】
【０００５】
【特許文献１】特開２００２−６２８７６号公報
【特許文献２】特開２００５−９２２３３号公報
【発明の概要】
【０００６】
しかし、小型の鍵盤装置にあっては、第３鍵ユニットの一対のヒンジ薄肉部の間には小さな空間しかなく、ヒンジ厚肉部を一対のヒンジ薄肉部の間にて突出させることはできない。また、第１及び第２鍵ユニットにゲート対応部に対向させないように、第３鍵ユニットのヒンジ厚肉部を単純に大きく切り欠いて前記ゲート対応部から逃げる形状にすると、第３鍵ユニットのヒンジ厚肉部の剛性が低下するという問題がある。また、第３鍵ユニットのヒンジ厚肉部は、鍵盤装置の内部が上方から目立たないようにするための目隠し機能をもっているが、第１及び第２鍵ユニットのゲート跡が接触しないように、第３鍵ユニットのヒンジ厚肉部に大きな切り欠きなどを設けると、前記目隠し機能が充分に発揮されず、鍵盤装置の外観が悪化する。
【０００７】
本発明は、このような問題に対処するためになされたもので、その目的は、共通取付け部が最上段に位置する鍵ユニットのヒンジ厚肉部の剛性を適度に保った状態で、外観を悪化させないようにした鍵盤装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００８】
前述した目的を達成するため、本発明の特徴は、前後方向に延設されていて左右方向に平行に配列された複数の鍵（３１，４１，５１）と、左右方向に延設された長尺状の共通取付け部（３３，４３，５３）と、複数の鍵の後端と共通取付け部との間にそれぞれ設けられて板面を水平にした平板状の複数のヒンジ部（３２，４２，５２）とを有し、それぞれ樹脂により一体成型された複数の鍵ユニット（３０，４０，５０）を備え、複数の鍵ユニットの共通取付け部をそれぞれ鍵フレーム上に重ねて載置して固定した鍵盤装置において、複数の鍵ユニットの複数のヒンジ部を、鍵の後面に接続されて厚肉に形成したヒンジ厚肉部（３２ａ，４２ａ，５２ａ）と、ヒンジ厚肉部の後面に接続されるとともに、共通取付け部の前面に接続されて薄肉に形成したヒンジ薄肉部（３２ｂ，３２ｃ，４２ｂ，４２ｃ，５２ｂ，５２ｃ）とでそれぞれ構成し、最上段の共通取付け部（５３）の下方に位置する共通取付け部（３３，４３）を有する鍵ユニット（３０，４０）の複数のヒンジ厚肉部（３２ａ，４２ａ）の上面に、樹脂成型する際のゲート対応部（３２ａ１，４２ａ１）をそれぞれ位置させ、共通取付け部が最上段に位置する鍵ユニット（５０）におけるヒンジ厚肉部（５２ａ）において、複数のゲート対応部と同じ左右方向の位置を含むヒンジ厚肉部の左右方向の一部における前後方向の長さを、ヒンジ厚肉部の他の部分における前後方向の長さよりも小さくして、前記ヒンジ厚肉部の左右方向の一部の後端を前記他の部分よりも前方に位置させ、かつ前記ヒンジ厚肉部の左右方向の一部の下面のゲート対応部側の端部からゲート対応部までの水平距離を、前記ヒンジ厚肉部の左右方向の一部の上面のゲート対応部側の端部からゲート対応部までの水平距離よりも大きくしたことにある。
【０００９】
この場合、共通取付け部が最上段に位置する鍵ユニットにおける複数のヒンジ部のうちの少なくとも一つにおいては、前記ヒンジ厚肉部の左右方向の一部は、例えば、前記ヒンジ厚肉部の他の部分における左右方向の両外側端の少なくとも一方の外側端から左又は右に突出した突出部（５２ｄ，５２ｅ）で構成されている。そして、例えば、この突出部の後面に、下方に向かって前側に傾斜した傾斜面で構成する。これにより、前記ヒンジ厚肉部の左右方向の一部の下面のゲート対応部側の端部からゲート対応部までの水平距離が、前記ヒンジ厚肉部の左右方向の一部の上面のゲート対応部側の端部からゲート対応部までの水平距離よりも大きくなる。
【００１０】
また、共通取付け部が最上段に位置する鍵ユニットにおける複数のヒンジ部のうちの少なくとも一つにおいて、前記ヒンジ厚肉部の左右方向の一部を、ヒンジ厚肉部の後面を前方に切り欠いた凹部（５２ｇ）で構成してもよい。そして、例えば、凹部の底面（前側に位置する面）を、下方に向かって前側に傾斜した傾斜面で構成する。これによっても、前記ヒンジ厚肉部の左右方向の一部の下面のゲート対応部側の端部からゲート対応部までの水平距離が、前記ヒンジ厚肉部の左右方向の一部の上面のゲート対応部側の端部からゲート対応部までの水平距離よりも大きくなる。
【００１１】
また、ヒンジ薄肉部は、例えば、ヒンジ厚肉部の左右方向の両外側端部における後面に接続された一対のヒンジ薄肉部からなる。
【００１２】
本発明の特徴においては、共通取付け部が最上段に位置する鍵ユニットにおけるヒンジ厚肉部において、複数のゲート対応部と同じ左右方向の位置を含むヒンジ厚肉部の左右方向の一部における前後方向の長さを、ヒンジ厚肉部の他の部分における前後方向の長さよりも小さくして、前記ヒンジ厚肉部の左右方向の一部の後端を前記他の部分よりも前方に位置させるようにした。これにより、最上段の共通取付け部の下方に位置する共通取付け部を有する鍵ユニットの複数のヒンジ厚肉部の上面に、樹脂成型する際のゲート対応部が位置する空間を確保できるとともに、前記ヒンジ厚肉部の他の部分の後端は後側に位置するので、前記ヒンジ厚肉部の他の部分による目隠し機能が発揮される。
【００１３】
また、最上段の共通取付け部の下方に位置する共通取付け部を有する鍵ユニットを樹脂成形した際、大きなゲート跡が残る場合もあり、前記ヒンジ厚肉部の左右方向の一部の後端とゲート対応部との間にはある程度の大きさの隙間が必要となる。これに対して、本発明の特徴においては、前記ヒンジ厚肉部の左右方向の一部の下面のゲート対応部側の端部からゲート対応部までの水平距離を、前記ヒンジ厚肉部の左右方向の一部の上面のゲート対応部側の端部から前記ゲート対応部までの水平距離よりも大きくした。そして、ゲート対応部は前記ヒンジ厚肉部の左右方向の一部の下方に位置するので、前記ヒンジ厚肉部の左右方向の一部の上面のゲート対応部側の端部と前記ゲート対応部との間の隙間を狭くしても、前記ヒンジ厚肉部の左右方向の一部とゲート跡との接触を避けることができる。これにより、前記ヒンジ厚肉部の左右方向の一部も目隠し機能を発揮する。また、前記ヒンジ厚肉部の左右方向の一部の上部の前後幅をある程度大きくできるので、ヒンジ厚肉部の剛性を確保できる。その結果、本発明によれば、共通取付け部が最上段に位置する鍵ユニットのヒンジ厚肉部の剛性を適度に保った状態で、鍵盤装置の外観を悪化させないようにすることができる。
【００１４】
また、本発明の他の特徴は、前記凹部の内側面は、前後及び左右の両方向において下方に向かうにしたがって外側に広がっており、凹部の下端位置から上端位置までの前後方向の距離を、凹部の下端位置から上端位置までの左右方向の距離よりも大きくしたことにある。さらに、共通取付け部が最上段に位置する鍵ユニットにおける複数のヒンジ部のうちの少なくとも一つに凹部を設けるとともに、共通取付け部が最上段に位置する鍵ユニットにおける複数のヒンジ部のうちの少なくとも一つに突出部を設けた場合には、凹部の下端位置から上端位置までの前後方向の距離を、凹部の下端位置から上端位置までの左右方向の距離よりも大きくし、かつ突出部のゲート対応部側の下端位置から上端位置までの前後方向の距離を、前記凹部の下端位置から上端位置までの左右方向の距離よりも大きくしたことにある。
【００１５】
鍵盤装置においては、共通取付け部が最上段に位置する鍵ユニットの鍵が押離鍵操作されると、押離鍵操作された鍵に対応したヒンジ厚肉部が上下に揺動するので、ゲート跡が大きいと、前記ヒンジ厚肉部の左右方向の一部の下面の後端がゲート跡に接触する可能性がある。これに対して、本発明の他の特徴においては、凹部の下端位置から上端位置までの前後方向の距離、及び突出部のゲート対応部側の下端位置から上端位置までの前後方向の距離を、凹部の下端位置から上端位置までの左右方向の距離よりも大きくした。したがって、前記ヒンジ厚肉部の左右方向の一部の上面の後端とゲート対応部との隙間を狭くしても、前記ヒンジ厚肉部の左右方向の一部の下面の後端とゲート跡との接触を回避できる。その結果、本発明の他の特徴によれば、前記ヒンジ厚肉部の左右方向の一部の下面の後端とゲート跡との接触を回避したうえで、前記ヒンジ厚肉部の左右方向の一部も目隠し機能を発揮して、鍵盤装置の外観を悪化させないようにすることができる。
【図面の簡単な説明】
【００１６】
【図１】本発明の第１実施形態に係る１オクターブ分の鍵を含む鍵盤装置の概略斜視図である。
【図２】図１の鍵盤装置の平面図である。
【図３】（Ａ）は図１の鍵盤装置において上カバーを外した状態にある鍵盤装置の平面図であり、（Ｂ）は（Ａ）の鍵盤装置の側面図である。
【図４】（Ａ）は図１乃至図３の鍵盤装置における第１鍵ユニットの平面図であり、（Ｂ）は前記第１鍵ユニットの側面図である。
【図５】（Ａ）は図１乃至図３の鍵盤装置における第２鍵ユニットの平面図であり、（Ｂ）は前記第２鍵ユニットの側面図である。
【図６】（Ａ）は図１乃至図３の鍵盤装置における第３鍵ユニットの平面図であり、（Ｂ）は前記第３鍵ユニットの側面図である。
【図７】（Ａ）は図３（Ａ）の一部拡大平面図であり、（Ｂ）は（Ａ）のｂ−ｂに沿って見た拡大断面図である。
【図８】本発明の第２実施形態に係る１オクターブ分の鍵を含む鍵盤装置において、上カバーを外した状態にある鍵盤装置の平面図である。
【図９】図８の鍵盤装置における第１鍵ユニットの平面図である。
【図１０】図８の鍵盤装置における第２鍵ユニットの平面図である。
【図１１】図８の鍵盤装置における第３鍵ユニットの平面図である。
【図１２】（Ａ）は図８の一部拡大平面図であり、（Ｂ）は（Ａ）のｂ−ｂに沿って見た拡大断面図であり、（Ｃ）は（Ａ）のｃ−ｃ線に沿って見た拡大断面図である。
【発明を実施するための形態】
【００１７】
ａ．第１実施形態
以下、本発明の第１実施形態について図面を用いて説明する。図１は第１実施形態に係る１オクターブ分の鍵を含む鍵盤装置の概略斜視図であり、図２は前記鍵盤装置の平面図である。図３（Ａ）は前記鍵盤装置において上カバーを外した状態にある鍵盤装置の平面図であり、図３（Ｂ）は図３（Ａ）の鍵盤装置の側面図である。なお、本明細書においては、演奏者側（図１の左下側及び図２の下側）を鍵盤装置の前方とし、演奏者と反対側（図１の右上側及び図２の上側）を鍵盤装置の後方とする。そして、演奏者の左右方向（図１の左上から右下方向及び図２の左右方向）を鍵盤装置の左右方向とする。
【００１８】
鍵盤装置は、鍵盤の下方にて、鍵盤楽器内に固定された鍵フレーム１０を有する。鍵フレーム１０は、金属、樹脂などにより一体的に形成されて、左右及び前後方向に水平に延設された平板状部材である。鍵フレーム１０の前後方向の中間部及び後端部には、左右方向の適宜箇所（第１実施形態では左右方向の両端部と中間部の３箇所）にて、複数の支持部１１，１２がそれぞれ設けられている。支持部１１，１２は、円柱状に鍵フレーム１０と一体的に形成されて、鍵フレーム１０の上面から上方に突出している。支持部１１，１２の上面には電気回路基板２０が載置されて図示しない雄ねじにより固定されるとともに、支持部１２の上面には電気回路基板２０に加えて詳しくは後述する第１乃至第３鍵ユニット３０，４０，５０も載置されて図示しない雄ねじにより固定されている。支持部１１，１２には、その上面から下方に延設されたねじ孔が設けられている。電気回路基板２０の前端部及び後端部における支持部１１，１２に対応するそれぞれ左右方向の位置には、雄ねじを貫通させる図示しない貫通孔も設けられている。
【００１９】
電気回路基板２０は樹脂などにより一体的に平板状に形成され、その上面には図示しない鍵スイッチ（例えば、ラバードームスイッチ）、電気回路部品などが配置されている。なお、電気回路部品に関しては、電気回路基板２０の下面に配置するようにしてもよい。電気回路基板２０の前端部であって支持部１１の前方位置の下面には、白鍵３１，４１及び黒鍵５１との衝突緩和のために、左右方向に延設された長尺状のフェルト等の緩衝材２１が張り付けられている。電気回路基板２０及び緩衝材２１は、白鍵３１，４１及び黒鍵５１の離鍵時に白鍵３１，４１及び黒鍵５１の前端部の上方への変位を規制する。
【００２０】
鍵フレーム１０における支持部１１よりも若干前方に位置する部分には、後述する白鍵３１，４１及び黒鍵５１の押鍵時に白鍵３１，４１及び黒鍵５１の前端部の下方への変位を規制する下限ストッパ部１３が設けられている。下限ストッパ部１３は、前端部が後端部より若干低くなるように上方にコ字状に突出するとともに、左右方向に延設されて鍵フレーム１０と一体的に形成されている。下限ストッパ部１３の上面には、白鍵３１，４１及び黒鍵５１との衝突緩和のために、左右方向に延設された長尺状のフェルト等の緩衝材１４が張り付けられている。また、鍵フレーム１０の後端部の上方には、左右方向に延設された上カバー１５が設けられている。上カバー１５は、第１乃至第３鍵ユニット３０，４０，５０の後端部（白鍵３１，４１及び黒鍵５１の後端よりも若干後方位置から後方の部分）を覆って、外観を良好に保つための部材である。
【００２１】
次に、第１鍵ユニット３０について、図４（Ａ）の平面図及び図４（Ｂ）の側面図を用いて説明する。第１鍵ユニット３０は、音名Ｃ，Ｅ，Ｇ，Ｂにそれぞれ対応して互いに隣接していない４つの白鍵３１を有する。白鍵３１は、上壁、前壁、左右側壁及び後壁からなり、内部を下方に開口させた方形状の空間を形成している。上壁及び左右側壁には、黒鍵５１のスペースを確保するために段部が設けられている。
【００２２】
白鍵３１の下面における前後方向の中間位置には、下方に延設されるとともに、下端部にて後方に突出させた突出部を有する係合片３１ａが、白鍵３１と一体的に形成されている。係合片３１ａの下面は、白鍵３１の押鍵時に緩衝材１４に当接して白鍵３１の前端部の下方への変位を規制する。係合片３１ａの後方への突出部は、その上面を白鍵３１の離鍵時に緩衝材２１に当接させて、白鍵３１の前端部の上方への変位を規制する。また、白鍵３１の下面における前後方向の中間位置であって、電気回路基板２０に設けた鍵スイッチと対向する位置には、白鍵３１の押鍵時に鍵スイッチを押圧する押圧部３１ｂが設けられている。
【００２３】
これらの４つの白鍵３１の後壁は、ヒンジ部３２を介して共通取付け部（レール部）３３にそれぞれ接続されている。ヒンジ部３２及び共通取付け部３３は、白鍵３１と一体成型されている。ヒンジ部３２は、ヒンジ厚肉部３２ａ及び一対のヒンジ薄肉部３２ｂ，３２ｃからなる。ヒンジ厚肉部３２ａは、上下方向に比較的厚肉であって左右方向に長尺の略方形状かつ平板状に形成されて、上下方向の弾性変形量が少なくなるように構成され、前端にて白鍵３１の後壁の後面における下端部に接続されている。ヒンジ厚肉部３２ａの左右方向の中心位置は、白鍵３１の前端部の左右方向の中心位置と同じである。ヒンジ厚肉部３２ａの左右方向の幅は白鍵３１の前端部の左右方向の幅にほぼ等しく（厳密には、白鍵３１の前端部の左右方向の幅よりも極少量だけ広く）、ヒンジ厚肉部３２ａの左右方向の両端を白鍵３１の前端部の左右方向の両端とほぼ同じに位置させている。また、各ヒンジ厚肉部３２ａの上面であって、白鍵３１の後端部における左右方向のほぼ中央位置には、第１鍵ユニット３０を一体成型する際に樹脂を注入するためのゲート位置であるゲート対応部３２ａ１が設けられている。
【００２４】
ヒンジ薄肉部３２ｂ，３２ｃは、上下方向にヒンジ厚肉部３２ａに比べて薄く、左右方向の長さが前後方向の長さよりも若干大きな長方形状かつ平板状に形成されて、上下方向の弾性変形量が大きくなるように構成され、前端にてヒンジ厚肉部３２ａの左右方向の外端部における後面の下端部にそれぞれ接続されている。ヒンジ薄肉部３２ｂの左端は白鍵３１の前端部の左端とほぼ同じ位置（ヒンジ厚肉部３２ａの左端と同じ位置）であり、ヒンジ薄肉部３２ｂの右端は白鍵３１の前端部の左右方向の中心から所定距離だけ左に位置している。ヒンジ薄肉部３２ｃの右端は白鍵３１の前端部の右端とほぼ同じ位置（ヒンジ厚肉部３２ａの右端と同じ位置）であり、ヒンジ薄肉部３２ｃの左端は白鍵３１の前端部の左右方向の中心から前記所定距離だけ右に位置している。すなわち、ヒンジ薄肉部３２ｂ，３２ｃは、白鍵３１の前端部の左右方向の中心に対して対称位置に所定の間隔を空けて設けられている。また、ヒンジ薄肉部３２ｂ，３２ｃとヒンジ厚肉部３２ａの位置関係に関しては、ヒンジ厚肉部３２ａの前後方向の幅に応じて、ヒンジ薄肉部３２ｂ，３２ｃ及びヒンジ厚肉部３２ａの横方向の剛性が適切となる位置（例えば、剛性が最大となる位置）にヒンジ薄肉部３２ｂ，３２ｃを設けるとよい。
【００２５】
共通取付け部３３は、前後方向の縦断面を略方形状とする左右方向に長尺状の部材であり、前面の上部にヒンジ薄肉部３２ｂ，３２ｃの後端を接続させている。共通取付け部３３は、下面に左右方向に延設された凹部３３ａを有するとともに、上面に左右方向に延設された凸部３３ｂを有する。共通取付け部３３の下面には、左右方向の適宜箇所（第１実施形態では左右方向の両端部と中間部の３箇所）にて、下方に突出した突起３３ｃが設けられている。突起３３ｃは、下端を面取りした円柱状に形成されており、共通取付け部３３を電気回路基板２０の後端部に組付ける際に電気回路基板２０に設けた図示しない孔に圧入される。共通取付け部３３における左右方向の適宜箇所（第１実施形態では左右方向の中間部の１箇所）には、貫通孔３３ｄが設けられている。貫通孔３３ｄは、円形に形成されており、第２鍵ユニット４０を第１鍵ユニット３０上に組付ける際に第２鍵ユニット４０に設けた後述する突起４３ｃを圧入させる。また、共通取付け部３３における鍵フレーム１０の支持部１２と対応する左右方向の位置には、貫通孔３３ｅも設けられている。貫通孔３３ｅは、貫通孔３３ｄよりも若干大径の円形に形成されており、第１乃至第３鍵ユニット３０，４０，５０を鍵フレーム１０に組付ける際に、図示しない雄ねじを貫通させる。さらに、共通取付け部３３の下面の左右方向の適宜箇所（第１実施形態では左右方向の中間部の２箇所）には、下方に突出した突出片３３ｆも設けられている。この突出片３３ｆは、共通取付け部３３を電気回路基板２０の後端部に組付ける際に電気回路基板２０に設けた図示しない貫通孔に多少の隙間をもって挿入されてガイド機能を果たす。
【００２６】
次に、第２鍵ユニット４０について、図５（Ａ）の平面図及び図５（Ｂ）の側面図を用いて説明する。第２鍵ユニット４０は、音名Ｄ，Ｆ，Ａにそれぞれ対応して互いに隣接していない３つの白鍵４１を有する。白鍵４１も、上壁、前壁、左右側壁及び後壁からなり、内部を下方に開口させた方形状の空間を形成している。白鍵４１の前後方向の長さ及び高さは白鍵３１の場合と同じであるが、上壁及び左右側壁に設けた黒鍵５１のスペースを確保するための段部は白鍵３１の場合とは異なる。また、白鍵４１の下面における前後方向の中間位置には、白鍵３１の係合片３１ａ及び押圧部３１ｂと同様な係合片４１ａ及び押圧部４１ｂが設けられている。
【００２７】
これらの３つの白鍵４１の後壁は、ヒンジ部４２を介して共通取付け部４３にそれぞれ接続されている。ヒンジ部４２及び共通取付け部４３は、白鍵４１と一体成型されている。ヒンジ部４２は、第１鍵ユニット３０のヒンジ厚肉部３２ａ及び一対のヒンジ薄肉部３２ｂ，３２ｃと同様に構成したヒンジ厚肉部４２ａ及び一対のヒンジ薄肉部４２ｂ，４２ｃからなる。また、各ヒンジ厚肉部４２ａの上面であって、白鍵４１の左右方向のほぼ中央位置には、第１鍵ユニット３０のゲート対応部３２ａ１と同様なゲート対応部４２ａ１が設けられている。共通取付け部４３も、第１鍵ユニット３０の共通取付け部３３とほぼ同様に構成されており、前述した凹部３３ａ、凸部３３ｂ、突起３３ｃ、貫通孔３３ｄ及び貫通孔３３ｅと同様な凹部４３ａ、凸部４３ｂ、突起４３ｃ、貫通孔４３ｄ及び貫通孔４３ｅを有する。
【００２８】
ただし、この第２鍵ユニット４０においては、ヒンジ厚肉部４２ａの前端は白鍵４１の後壁の後面における下端部に接続されているが、ヒンジ薄肉部４２ｂ，４２ｃの前端はヒンジ厚肉部４２ａの後面の上端部にそれぞれ接続され、ヒンジ薄肉部４２ｂ，４２ｃの後端は共通取付け部４３の前面の下部に接続されている。そして、第１及び第２鍵ユニット３０，４０を鍵フレーム１０及び電気回路基板２０に組付けた状態では、ヒンジ厚肉部４２ａは第１鍵ユニット３０のヒンジ厚肉部３２ａと同じ高さに位置し、共通取付け部４３及びヒンジ薄肉部４２ｂ，４２ｃは第１鍵ユニット３０の共通取付け部３３及びヒンジ薄肉部３２ｂ，３２ｃよりも上方に位置する。また、ヒンジ厚肉部４２ａは、第１鍵ユニット３０のヒンジ厚肉部３２ａとの間に、左右方向に僅かな隙間（厳密には、隣接する白鍵３１，４１の左右方向の隙間よりも僅かに小さな隙間）を隔てて位置する。
【００２９】
凹部４３ａの前後方向の幅は第１鍵ユニット３０の凸部３３ｂの前後方向の幅とほぼ同じであり、第２鍵ユニット４０の共通取付け部４３を第１鍵ユニット３０の共通取付け部３３上に組付けた状態で、第１鍵ユニット３０の凸部３３ｂを凹部４３ａ内に勘合させる。突起４３ｃは、第１鍵ユニット３０の貫通孔３３ｄと左右方向の対向する位置に設けられ、貫通孔３３ｄの内径とほぼ同じ外径を有し、第２鍵ユニット４０の共通取付け部４３を第１鍵ユニット３０の共通取付け部３３上に組付けた状態で、貫通孔３３ｄに圧入される。貫通孔４３ｄは、共通取付け部４３における左右方向の適宜箇所（第１実施形態では左右方向の中間部の１箇所）に設けられている。貫通孔４３ｄは、円形に形成されており、第３鍵ユニット５０を第２鍵ユニット４０上に組付ける際に第３鍵ユニット５０に設けた後述する突起５３ｃを圧入させる。貫通孔４３ｅは、共通取付け部４３における鍵フレーム１０の支持部１２及び第１鍵ユニット３０の貫通孔３３ｅと対応する左右方向の位置に設けられている。貫通孔４３ｅは、第１乃至第３鍵ユニット３０，４０，５０を鍵フレーム１０に組付ける際に、図示しない雄ねじを貫通させる。
【００３０】
次に、第３鍵ユニット５０について、図６（Ａ）の平面図及び図６（Ｂ）の側面図を用いて説明する。第３鍵ユニット５０は、音名Ｃ＃，Ｄ＃，Ｆ＃，Ｇ＃，Ａ＃にそれぞれ対応して互いに隣接していない５つの黒鍵５１を有する。黒鍵５１も、上壁、前壁、左右側壁及び後壁からなり、内部を下方に開口させた方形状の空間を形成している。ただし、黒鍵５１の前後方向の長さは白鍵３１，４１の前後方向の長さよりも短く、黒鍵５１の高さは白鍵３１，４１の高さよりも高い。黒鍵５１の前壁の上部は、下方に向かって前方に位置するように傾斜している。黒鍵５１の下面における前端位置には、白鍵３１，４１の係合片３１ａ，４１ａと同様な係合片５１ａが設けられている。黒鍵５１の下面における中間位置には、白鍵３１，４１の押圧部３１ｂ，４１ｂと同様な押圧部５１ｂが設けられている。また、係合片５１ａの前面における下部（非外観部）には、第１及び第２鍵ユニット３０，４０のゲート対応部３２ａ１，４２ａ１と同様なゲート対応部５１ａ１が設けられている。
【００３１】
さらに、黒鍵５１の後端部の下面には、平板状かつ方形状に形成されるとともに左右方向の長さを黒鍵５１の左右方向の幅とほぼ同じにして、下方に突出した突出片５１ｃが設けられている。突出片５１ｃは、第１乃至第３鍵ユニット３０，４０，５０を鍵フレーム１０及び電気回路基板２０に組付けた状態では、Ｅ音及びＦ音に対応した白鍵３１，４１の間を除く他の隣接した白鍵３１，４１の間にて、第１及び第２鍵ユニット３０，４０のヒンジ厚肉部３２ａ，４２ａの前方に上方から侵入している。
【００３２】
これらの５つの黒鍵５１の後壁は、ヒンジ部５２を介して共通取付け部５３にそれぞれ接続されている。ヒンジ部５２及び共通取付け部５３は、黒鍵５１と一体成型されている。ヒンジ部５２は、第１及び第２鍵ユニット３０，４０のヒンジ厚肉部３２ａ，４２ａ及び一対のヒンジ薄肉部３２ｂ，３２ｃ，４２ｂ，４２ｃと同様に構成したヒンジ厚肉部５２ａ及び一対のヒンジ薄肉部５２ｂ，５２ｃからなる。共通取付け部５３も、第１及び第２鍵ユニット３０，４０の共通取付け部３３，４３とほぼ同様に構成されており、前述した凹部３３ａ，４３ａ、凸部３３ｂ，４３ｂ、突起３３ｃ，４３ｃ及び貫通孔３３ｅ，４３ｅと同様な凹部５３ａ、凸部５３ｂ、突起５３ｃ及び貫通孔５３ｅを有する。
【００３３】
ただし、この第３鍵ユニット５０においては、ヒンジ厚肉部５２ａの前端は黒鍵５１の後壁の後面における下端部に接続されているが、ヒンジ薄肉部５２ｂ，５２ｃの前端はヒンジ厚肉部５２ａの後面の下端部にそれぞれ接続され、ヒンジ薄肉部５２ｂ，５２ｃの後端は共通取付け部５３の前面の下部に接続されている。そして、第１乃至第３鍵ユニット３０，４０，５０を鍵フレーム１０及び電気回路基板２０に組付けた状態では、第３鍵ユニット５０の共通取付け部５３、ヒンジ厚肉部５２ａ及びヒンジ薄肉部５２ｂ，５２ｃは、第２鍵ユニット４０の共通取付け部４３、ヒンジ厚肉部４２ａ及びヒンジ薄肉部４２ｂ，４２ｃよりもそれぞれ上方に位置するようになっている。
【００３４】
ヒンジ厚肉部５２ａの形状及び上下方向の厚さは第１及び第２鍵ユニット３０，４０のヒンジ厚肉部３２ａ，４２ａの形状及び上下方向の厚さとほぼ同じである。しかし、ヒンジ厚肉部５２ａの前後方向の長さはヒンジ厚肉部３２ａ，４２ａの前後方向の長さよりも極僅かに短く、かつヒンジ厚肉部５２ａの左右方向の長さはヒンジ厚肉部３２ａ，４２ａの左右方向の長さよりも僅かに長い。ヒンジ厚肉部５２ａの左右方向の中心位置は、黒鍵５１の左右方向の中心位置と同じである。ヒンジ薄肉部５２ｂ，５２ｃの形状、上下方向の厚さ及び前後方向の長さは、第１及び第２鍵ユニット３０，４０のヒンジ薄肉部３２ｂ，３２ｃ，４２ｂ，４２ｃの形状、上下方向の厚さ及び前後方向の長さとほぼ同じである。しかし、ヒンジ薄肉部５２ｂ，５２ｃの左右方向の長さはヒンジ薄肉部３２ｂ，３２ｃ，４２ｂ，４２ｃの左右方向の長さよりも僅かに短い。そして、ヒンジ薄肉部５２ｂ，５２ｃも、黒鍵５１の左右方向の中心に対して対称に配置されているが、ヒンジ薄肉部５２ｂ，５２ｃの間の隙間は、ヒンジ薄肉部３２ｂ，３２ｃの間の隙間及びヒンジ薄肉部４２ｂ，４２ｃの間の隙間よりも大きい。
【００３５】
また、ヒンジ厚肉部５２ａの左右両端には、左右方向にそれぞれ突出した突出部（タブ）５２ｄ，５２ｅが設けられている。突出部５２ｄ，５２ｅは、上下方向の厚さをヒンジ厚肉部５２ａの上下方向の厚さと同じにし、かつ前後方向の長さをヒンジ厚肉部５２ａの前後方向の長さによりも短くして、外側端に面取りをそれぞれ設けた方形状に形成されている。これらの突出部５２ｄ，５２ｅは、前面をヒンジ厚肉部５２ａの前面と同一にして、ヒンジ厚肉部５２ａの前部に設けられている。これにより、突出部５２ｄ，５２ｅの後面は、ヒンジ厚肉部５２ａの後面よりも前方に位置する。複数の黒鍵５１に対応した突出部５２ｄ，５２ｅの左右方向の長さはそれぞれ異なり、隣接した２つの黒鍵５１に対応した突出部５２ｄと突出部５２ｅの間には僅かな隙間が設けられている。具体的には、Ｃ＃音及びＦ＃音の黒鍵５１に関しては、突出部５２ｄの左方向への突出量が大きく、突出部５２ｅの右方向への突出量が小さい。Ｄ＃音及びＡ＃音の黒鍵５１に関しては、突出部５２ｄの左方向への突出量が小さく、突出部５２ｅの右方向への突出量が大きい。Ｇ＃音の黒鍵５１に関しては、突出部５２ｄ，５２ｅの左右方向への突出量が共に小さい。
【００３６】
この突出部５２ｄ，５２ｅについて、図７を用いてさらに説明を加えておく。図７（Ａ）は図３に破線で示すＸ１部分の拡大平面図であり、図７（Ｂ）は図７（Ａ）のｂ−ｂ線に沿って見た拡大断面図である。なお、この図７（Ｂ）においては、ゲート対応部３２ａ１に大きなゲート跡が残った状態を示している。突出部５２ｄ，５２ｅの後面５２ｄ１，５２ｅ１は、上端から下端に向かうにしたがって前側に傾斜した傾斜面である。すなわち、後面５２ｄ１，５２ｅ１の下端は、後面５２ｄ１，５２ｅ１の上端よりも前方に位置する。なお、この前後方向に傾斜した後面５２ｄ１，５２ｅ１の上下方向に対する傾斜角度θ１は、後述する第２実施形態における左右方向に傾斜した左右の内側面５２ｇ２，５２ｇ３の上下方向に対する傾斜角度θ２よりも大きい。また、後面５２ｄ１に関しては、図示省略されている。これは、突出部５２ｄ，５２ｅの上面の面積を大きくして、第１及び第２鍵ユニット３０，４０のヒンジ厚肉部３２ａ，４２ａをなるべく上方から見え難くすると同時に、突出部５２ｄ，５２ｅの下面に対向しないヒンジ厚肉部３２ａ，４２ａの後部上面の面積を大きくするためである。
【００３７】
このように突出部５２ｄ，５２ｅを構成することにより、第１乃至第３鍵ユニット３０，４０，５０を鍵フレーム１０及び電気回路基板２０に組付けた状態では、第１及び第２鍵ユニット３０，４０のヒンジ厚肉部３２ａ，４２ａの後部上面上の一部に、隣接した黒鍵５１の一対のヒンジ厚肉部５２ａ，５２ａ間において空間が形成される。そして、この空間に対応したヒンジ厚肉部３２ａ，４２ａの上面上に、前述したゲート対応部３２ａ１，４２ａ１が設けられている。これは、ゲート対応部３２ａ１，４２ａ１に樹脂を注入して第１及び第２鍵ユニット３０，４０を一体成型した際に、ゲート対応部３２ａ１，４２ａ１に残るゲート跡（突起）に、突出部５２ｄ，５２ｅの下面が接触しないようにするためである。特に、黒鍵５１の押鍵時には、各黒鍵５１に対応したヒンジ厚肉部５２ａは図７（Ｂ）の破線矢印で示すように揺動するので、ゲート跡が大きいと、突出部５２ｄ，５２ｅの下面の後端がゲート跡に接触する可能性がある。しかし、前述のように、突出部５２ｄ，５２ｅの後面５２ｄ１，５２ｅ１を傾斜させて、後面５２ｄ１，５２ｅ１が下方に向かうにしたがって前側に位置するようにしているので、突出部５２ｄ，５２ｅの下面の後端がゲート跡に接触することを回避できる。
【００３８】
凹部５３ａの前後方向の幅は第２鍵ユニット４０の凸部４３ｂの前後方向の幅とほぼ同じであり、第３鍵ユニット５０の共通取付け部５３を第２鍵ユニット４０の共通取付け部４３上に組付けた状態で、第２鍵ユニット４０の凸部４３ｂを凹部５３ａ内に勘合させる。突起５３ｃは、第２鍵ユニット４０の貫通孔４３ｄと左右方向の対向する位置に設けられ、貫通孔４３ｄの内径とほぼ同じ外径を有し、第３鍵ユニット５０の共通取付け部５３を第２鍵ユニット４０の共通取付け部４３上に組付けた状態で、貫通孔４３ｄに圧入される。貫通孔５３ｅは、共通取付け部５３における鍵フレーム１０の支持部１２及び第１及び第２鍵ユニット３０，４０の貫通孔３３ｅ，４３ｅと対応する左右方向の位置に設けられている。貫通孔５３ｅは、第１乃至第３鍵ユニット３０，４０，５０を鍵フレーム１０に組付ける際に、図示しない雄ねじを貫通させる。
【００３９】
共通取付け部５３の後端面における左右方向の適宜箇所（第１実施形態では左右方向の中間部の２箇所）には、フック部５３ｆが下方に延設されている。フック部５３ｆの下端部には、前方に突出され、上面を平面にして縦断面形状を３角形状とする係止用爪が設けられている。第１乃至第３鍵ユニット３０，４０，５０を電気回路基板２０に組付ける際に、このフック部５３ｆの係止用爪が電気回路基板２０の下面後端部に係合する。ただし、図示しないねじにより第１乃至第３鍵ユニット３０，４０，５０及び電気回路基板２０を鍵フレーム１０に固定した状態では、フック部５３ｆの係止用爪は電気回路基板２０の下面後端部に係合（すなわち接触）していない。また、共通取付け部５３には、フック部５３ｆに対応した位置にて、係止用爪の上面に対向するとともに共通取付け部５３を上下方向に貫通する方形状の貫通孔５３ｇが形成されている。これは、第３鍵ユニット５０を樹脂で一体成型する際に、フック部５３ｆの係止用爪を上下の金型を用いて簡単に成型するためである。
【００４０】
次に、前記のように構成した電気回路基板２０及び第１乃至第３鍵ユニット３０，４０，５０の鍵フレーム１０への組付けについて説明する。第１鍵ユニット３０の共通取付け部３３上に第２鍵ユニット４０の共通取付け部４３を載置して、第２鍵ユニット４０を第１鍵ユニット３０上に組付ける。この場合、共通取付け部３３の凸部３３ｂを共通取付け部４３の凹部４３ａに勘合させるとともに、共通取付け部４３の突起４３ｃを共通取付け部３３の貫通孔３３ｄに圧入する。次に、第１鍵ユニット３０上に組付けられた第２鍵ユニット４０の共通取付け部４３上に第３鍵ユニット５０の共通取付け部５３を載置して、第３鍵ユニット５０を第２鍵ユニット４０上に組付ける。この場合、共通取付け部４３の凸部４３ｂを共通取付け部５３の凹部５３ａに勘合させるとともに、共通取付け部５３の突起５３ｃを共通取付け部４３の貫通孔４３ｄに圧入する。これにより、第１乃至第３鍵ユニット３０，４０，５０からなる鍵盤ユニットが完成する。
【００４１】
次に、鍵フレーム１０の支持部１１に電気回路基板２０の前部に設けた貫通孔を合わせて、電気回路基板２０を支持部１１，１２上に載置する。そして、図示しない雄ねじを電気回路基板２０の上面から支持部１１に設けたねじ孔に侵入させるとともに螺合させて、電気回路基板２０を鍵フレーム１０に組付ける。なお、緩衝材１４，２１に関しては、鍵フレーム１０の下限ストッパ部１３及び電気回路基板２０の前端部の下面に事前にそれぞれ固着されている。
【００４２】
次に、第１乃至第３鍵ユニット３０，４０，５０からなる鍵盤ユニットを、電気回路基板２０に組付ける。この場合、白鍵３１，４１及び黒鍵５１の係合片３１ａ，４１ａ，５１ａを電気回路基板２０の前端部の下面に係合させながら、第１鍵ユニット３０の突出片３３ｆを電気回路基板２０に設けた図示しない貫通孔に貫通させるとともに、第１鍵ユニット３０の共通取付け部３３を電気回路基板２０の後端部上に載置し、第３鍵ユニット５０のフック部５３ｆの係止用爪を電気回路基板２０の後端部の下面に係合させる。この状態では、第１乃至第３鍵ユニット３０，４０，５０の共通取付け部３３，４３，５３に設けた貫通孔３３ｅ，４３ｅ，５３ｅ及び電気回路基板２０に設けた図示しない貫通孔は、鍵フレーム１０の支持部１２に設けたねじ孔にほぼ対向している。そして、図示しない雄ねじを貫通孔３３ｅ，４３ｅ，５３ｅ及び電気回路基板２０の貫通孔に上方から貫通させて、支持部１２に設けたねじ孔に侵入させるとともに螺合させる。
【００４３】
次に、上カバー１５を鍵フレーム１０の図示しない接合部に接続して、第３鍵ユニット５０の後部を覆う。これにより、第１乃至第３鍵ユニット３０，４０，５０からなる鍵盤ユニットは、鍵フレーム１０及び電気回路基板２０上に組み付けられ、鍵盤装置が完成する。この状態では、上カバー１５の前面は、第３鍵ユニット５０のヒンジ厚肉部５２ａの前部分及び突出部５２ｄ，５２ｅの上方に位置し、上カバー１５の前面と白鍵３１，４１及び黒鍵５１の後端面との間には僅かな隙間が設けられる。
【００４４】
このようにして完成された鍵盤装置においては、演奏者が白鍵３１，４１及び黒鍵５１を押鍵操作すると、白鍵３１，４１及び黒鍵５１はヒンジ薄肉部３２ｂ，３２ｃ，４２ｂ，４２ｃ，５２ｂ，５２ｃの弾性変形により、共通取付け部３３，４３，５３を中心として揺動して、それらの前端部を下方へ変位させる。そして、白鍵３１，４１及び黒鍵５１の係合片３１ａ，４１ａ，５１ａの下面が緩衝材１４の上面に当接すると、白鍵３１，４１及び黒鍵５１の揺動は停止される。一方、前記押鍵された白鍵３１，４１及び黒鍵５１が離鍵されると、白鍵３１，４１及び黒鍵５１は、ヒンジ薄肉部３２ｂ，３２ｃ，４２ｂ，４２ｃ，５２ｂ，５２ｃ及び図示省略した鍵スイッチ（ラバードームスイッチ）の復元力により、それらの前端部を上方へ変位させる。そして、白鍵３１，４１及び黒鍵５１の係合片３１ａ，４１ａ，５１ａの突出部の上面が緩衝材２１の下面に当接すると、白鍵３１，４１及び黒鍵５１は元の位置（離鍵状態）に復帰する。
【００４５】
このような白鍵３１，４１及び黒鍵５１の押離鍵操作により、押圧部３１ｂ，４１ｂ，５１ｂが電気回路基板２０上に設けた図示しない鍵スイッチをオン・オフさせる。この鍵スイッチのオン・オフにより、押離鍵操作された白鍵３１，４１及び黒鍵５１に対応した楽音信号の発生が制御される。
【００４６】
上記のように構成されるとともに動作する鍵盤装置においては、最上段の共通取付け部５３を有する第３鍵ユニット５０のヒンジ厚肉部５２ａの左右方向の両外側端に外側に突出した突出部５２ｄ，５２ｅを設け、隣接した突出部５２ｄ，５２ｅ間の左右方向の隙間を小さくするようにした。これにより、複数の黒鍵５１間の各距離が異なっていても、ヒンジ厚肉部５２ａとは無関係に、複数の黒鍵５１の後方近傍であって隣接した黒鍵５１間における隙間を極僅かにすることができる。その結果、最上段よりも下方に位置する共通取付け部３３，４３を有する第１及び第２鍵ユニット３０，４０のヒンジ部３２，４２を、上方から目立たないようにすることができ、白鍵３１，４１及び黒鍵５１の後端から若干後方位置よりも後方を上カバー１５で覆った状態では、外観が良好となる。
【００４７】
また、第１及び第２鍵ユニット３０，４０における複数のヒンジ部３２，４２において、ヒンジ厚肉部３２ａ，４２ａの上下方向の厚さ、前後方向の長さ及び左右方向の幅をそれぞれ同一にし、かつ一対のヒンジ薄肉部３２ｂ，３２ｃ，４２ｂ，４２ｃの上下方向の厚さ、前後方向の長さ及び左右方向の幅をそれぞれ同一にした。そして、複数のヒンジ部３２，４２において、ヒンジ厚肉部３２ａ，４２ａの左右方向の中心位置を白鍵３１，４１の前部の左右方向の中心位置と一致させ、かつ一対のヒンジ薄肉部３２ｂ，３２ｃ，４２ｂ，４２ｃを白鍵３１，４１の前部の左右方向の中心位置に対してそれぞれ対称に配置した。これにより、白鍵３１，４１の左右方向における、ヒンジ薄肉部３２ｂ，３２ｃ，４２ｂ，４２ｃ及びヒンジ厚肉部３２ａ，４２ａの剛性（弾力性）において、複数の白鍵３１，４１間で差が生じたり、１つの白鍵３１，４１における左右方向の差が生じたりすることをなくすことができる。その結果、白鍵３１，４１の押離鍵時における鍵タッチ感に関し、複数の白鍵３１，４１に対して同一にできるとともに、１つの白鍵３１，４１における左右方向のバランスのずれをなくすことができ、鍵タッチ感を良好にすることができる。また、前記左右方向のバランスのずれをなくすことにより、ヒンジ薄肉部３２ｂ，３２ｃ，４２ｂ，４２ｃ及びヒンジ厚肉部３２ａ，４２ａのねじれもなくなり、耐久性も向上する。
【００４８】
また、第３鍵ユニット５０における複数のヒンジ部５２においても、ヒンジ厚肉部５２ａの上下方向の厚さ、前後方向の長さ及び左右方向の幅をそれぞれ同一にし、かつ一対のヒンジ薄肉部５２ｂ，５２ｃの上下方向の厚さ、前後方向の長さ及び左右方向の幅をそれぞれ同一にした。また、複数のヒンジ部５２においても、ヒンジ厚肉部５２ａの左右方向の中心位置を黒鍵５１の左右方向の中心位置と一致させ、かつ一対のヒンジ薄肉部５２ｂ，５２ｃを黒鍵５１の左右方向の中心位置に対してそれぞれ対称に配置した。これにより、黒鍵５１の左右方向における、ヒンジ薄肉部５２ｂ，５２ｃ及びヒンジ厚肉部５２ａの剛性（弾力性）において、複数の黒鍵５１間で差が生じたり、１つの黒鍵５１における左右方向の差が生じたりすることをなくすことができる。その結果、黒鍵５１の押離鍵時における鍵タッチ感に関し、複数の黒鍵５１に対して同一にできるとともに、１つの黒鍵５１における左右方向のバランスのずれをなくすことができ、鍵タッチ感を良好にすることができる。また、前記左右方向のバランスのずれをなくすことにより、ヒンジ薄肉部５２ｂ，５２ｃ及びヒンジ厚肉部５２ａのねじれもなくなり、耐久性も向上する。
【００４９】
また、上記第１実施形態においては、黒鍵５１を有する第３鍵ユニット５０の共通取付け部５３を最上段にして、ヒンジ厚肉部５２ａの左右両側に突出部５２ｄ，５２ｅを設けて、白鍵３１，４１を有する第１及び第２鍵ユニット３０，４０のヒンジ厚肉部３２ａ，４２ａが上方から見え難くなるようにした。この場合、ヒンジ厚肉部３２ａ，４２ａは白鍵３１，４１と同じ白色であるのに対して、ヒンジ厚肉部５２ａ及び突出部５２ｄ，５２ｅは黒鍵５１と同じ黒色である。このように黒色で下部材を隠すことにより下部材であるヒンジ厚肉部３２ａ，４２ａが見え難くなり、第１鍵ユニット３０（又は第２鍵ユニット４０）の共通取付け部３３（又は共通取付け部４３）を最上段にしてヒンジ厚肉部３２ａ（又はヒンジ厚肉部４２ａ）の左右両側に突出部５２ｄ，５２ｅと同一形状の白色の突出部を設ける場合に比べて、下側部材の目隠し効果が良好となる。
【００５０】
さらに、上記第１実施形態においては、最上段に位置する第３鍵ユニット５０に設けた突出部５２ｄ，５２ｅの前後方向の長さをヒンジ厚肉部５２ａの前後方向の長さによりも短くして、突出部５２ｄ，５２ｅの後面がヒンジ厚肉部５２ａの後面よりも前方に位置するようにした。そして、第１及び第２鍵ユニット３０，４０のヒンジ厚肉部３２ａ，４２ａの後部の上面上の一部に、隣接した黒鍵５１の一対のヒンジ厚肉部５２ａ，５２ａ間において空間を形成し、このヒンジ厚肉部３２ａ，４２ａの後部の上面上の一部に、第１及び第２鍵ユニット３０，４０を成型する際のゲート対応部３２ａ１，４２ａ１を設けた。これにより、ゲート対応部３２ａ１，４２ａ１に樹脂を注入して第１及び第２鍵ユニット３０，４０を一体成型した際には、ゲート対応部３２ａ１，４２ａ１に残るゲート跡（突起）に、突出部５２ｄ，５２ｅの下面が接触しなくなる。また、第１及び第２鍵ユニット３０，４０の成型の際に、白鍵３１，４１及び共通取付け部３３，４３に、樹脂を均一かつスムーズに流し込むことができ、ウェルドラインなどの発生もなく、第１及び第２鍵ユニット３０，４０を良好に一体成型できる。
【００５１】
特に、突出部５２ｄ，５２ｅの後面５２ｄ１，５２ｅ１を傾斜させて、後面５２ｄ１，５２ｅ１が下方に向かうにしたがって前側に位置するようにしているので、突出部５２ｄ，５２ｅの上面の後端をある程度後方に位置させても、黒鍵５１の押鍵時に、突出部５２ｄ，５２ｅの下面の後端がゲート跡に接触しなくなる。これにより、突出部５２ｄ，５２ｅの上面の前後方向幅を大きくして、突出部５２ｄ，５２ｅによる下側部材の目隠し効果を良好にすることができる。
【００５２】
また、第３鍵ユニット５０のヒンジ厚肉部５２ａと共に、前記後面５２ｄ１，５２ｅ１の傾斜により、突出部５２ｄ，５２ｅの上部の前後幅をある程度大きくできるので、ヒンジ厚肉部５２ａ及び突出部５２ｄ，５２ｅの剛性をある程度高く確保できる。その結果、上記第１実施形態によれば、最上段に位置する第３鍵ユニット５０のヒンジ厚肉部５２ａ及び突出部５２ｄ，５２ｅの剛性を保った状態で、鍵盤装置の外観を悪化させないようにすることができる。
【００５３】
ｂ．第２実施形態
次に、本発明の第２実施形態について図面を用いて説明する。図８は、第２実施形態に係る１オクターブ分の鍵を含む鍵盤装置において、上カバーを外した状態にある鍵盤装置の平面図である。図９は図８の鍵盤装置における第１鍵ユニットの平面図であり、図１０  は図８の鍵盤装置における第２鍵ユニットの平面図であり、図１１は図８の鍵盤装置における第３鍵ユニットの平面図である。これらの図８乃至図１１は、上記第１実施形態における図３（Ａ）乃至図６（Ａ）にそれぞれ対応している。以下、第２実施形態に係る鍵盤装置について説明するが、この第２実施形態に係る鍵盤装置の多くの部分は上記第１実施形態に係る鍵盤装置と同じであるので、同一部分には上記第１実施形態と同一符号を付して、その説明を省略する。
【００５４】
第１鍵ユニット３０においては、図８及び図９に示されているように、音名Ｇの白鍵３１の後方に位置するヒンジ厚肉部３２ａの上面に設けたゲート対応部３２ａ１の左右方向位置が上記第１実施形態の場合とは異なる。すなわち、この第２実施形態では、前記ゲート対応部３２ａ１の左右方向位置は、白鍵３１の後端部の左側面の近傍位置である。
【００５５】
第２鍵ユニット４０においては、図８及び図１０に示されているように、音名Ｄの白鍵４１の後方に位置するヒンジ厚肉部４２ａの上面に設けたゲート対応部４２ａ１の左右方向位置が上記第１実施形態の場合とは異なる。すなわち、この第２実施形態では、前記ゲート対応部４２ａ１の左右方向位置は、白鍵４１の後端部の左側面の近傍位置である。音名Ａの白鍵４１の後方に位置するヒンジ厚肉部４２ａの上面に設けたゲート対応部４２ａ１の左右方向位置が上記第１実施形態の場合とは異なる。すなわち、この第２実施形態では、前記ゲート対応部４２ａ１の左右方向位置は、白鍵４１の後端部の左側面の近傍位置である。
【００５６】
第３鍵ユニット５０においては、上記第１実施形態のヒンジ厚肉部５２ａの左右両端から外側に突出させて突出部５２ｄ，５２ｅのうちで、一部のゲート対応部３２ａ１，４２ａ１の上方に空間を形成するための短い方の突出部５２ｄ，５２ｅを設けないで、ヒンジ厚肉部５２ａ及びヒンジ薄肉部５２ｂ，５２ｃの外側端を後方へ直線上に延設させている。そして、音名Ｃ＃，Ｄ＃の黒鍵５１，５１に対応したヒンジ厚肉部５２ａ，５２ａ及びヒンジ薄肉部５２ｃ，５２ｂ間の隙間、音名Ｆ＃，Ｇ＃の黒鍵５１，５１に対応したヒンジ厚肉部５２ａ，５２ａ及びヒンジ薄肉部５２ｃ，５２ｂ間の隙間、及び音名Ｇ＃，Ａ＃の黒鍵５１，５１に対応したヒンジ厚肉部５２ａ，５２ａ及びヒンジ薄肉部５２ｃ，５２ｂ間の隙間をそれぞれ狭くして同じにしている。また、上記第１実施形態の長い方の突出部５２ｄ，５２ｅに関しては、この第２実施形態でも同様に存在しているが、この第２実施形態では突出部５２ｆとしている。
【００５７】
また、一対のヒンジ薄肉部５２ｂ，５２ｃの左右方向幅を上記第１実施形態の場合よりも若干小さくして、一対のヒンジ薄肉部５２ｂ，５２ｃ間の距離を上記第１実施形態の場合に比べて広げている。すなわち、一対のヒンジ薄肉部５２ｂ，５２ｃ間に位置するヒンジ厚肉部５２ａの長さを上記第１実施形態の場合よりも大きくしている。そして、音名Ｃ＃，Ｆ＃，Ｇ＃の黒鍵５１のヒンジ厚肉部５２ａの後面の右端部を前方に切欠いて、前記ヒンジ厚肉部５２ａの後面に平面視ほぼ正方形状の凹部５２ｇが形成されている。そして、この凹部５２ｇの前後方向及び左右方向の位置は、前記左右方向位置を変更した音名Ｄ，Ｇ，Ａの白鍵４１，３１，４１のゲート対応部４２ａ１，３２ａ１，４２ａ１の前後方向及び左右方向の位置に対応している。なお、この凹部５２ｇの内部形状に関しては、詳しく後述する。
【００５８】
第１乃至第３鍵ユニット３０，４０，５０の他の構成は、上記第１実施形態と同じである。また、鍵盤装置の他の構成、組み立て方法及び動作に関しても、上記第１実施形態と同じであるので、それらの説明を省略する。
【００５９】
このように構成した第２実施形態に係る鍵盤装置においても、突出部５２ｆの後方に位置するゲート対応部３２ａ１，４２ａ１の構成、位置関係、機能などは上記第１実施形態で図７を用いて説明した内容と同じであるので、それらの説明を省略する。
【００６０】
ここで、凹部５２ｇ及びゲート対応部３２ａ１について、図１２を用いて説明しておく。図１２（Ａ）は図８に破線で示すＸ２部分の拡大平面図であり、図１２（Ｂ）は図１２（Ａ）のｂ−ｂ線に沿って見た拡大断面図であり、図１２（Ｃ）は図１２（Ａ）のｃ−ｃ線に沿って見た拡大断面図である。なお、この場合も、この図１２（Ｂ）（Ｃ）においては、ゲート対応部３２ａ１に大きなゲート跡が残った状態を示している。凹部５２ｇの前側に位置する底面５２ｇ１（すなわち凹部５２ｇ位置のヒンジ厚肉部３２ａの後面）は、上端から下端に向かうにしたがって前側に傾斜した傾斜面である。そして、底面５２ｇ１の下端は、底面５２ｇ１の上端よりも前方に位置する。
【００６１】
また、この凹部５２ｇの左右の内側面５２ｇ２，５２ｇ３（すなわち凹部５２ｇ位置におけるヒンジ厚肉部３２ａの左右の内側面）は、上端から下端に向かうにしたがって外側に傾斜した傾斜面である。そして、内側面５２ｇ２，５２ｇ３の下端は、内側面５２ｇ２，５２ｇ３の上端よりもそれぞれ左右外側に位置する。なお、この左右方向に傾斜した左右の内側面５２ｇ２，５２ｇ３の上下方向に対する傾斜角度θ２は、前後方向に傾斜した底面５２ｇ１の上下方向に対する傾斜角度θ１よりも小さい。これは、ヒンジ厚肉部５２ａの上面の面積を大きくして、第１及び第２鍵ユニット３０，４０のヒンジ厚肉部３２ａ，４２ａをなるべく上方から見え難くすると同時に、ヒンジ厚肉部５２ａの下面に対向しないヒンジ厚肉部３２ａ，４２ａの後部上面の面積を大きくするためである。
【００６２】
このように凹部５２ｇを構成することにより、第１乃至第３鍵ユニット３０，４０，５０を鍵フレーム１０及び電気回路基板２０に組付けた状態では、第１及び第２鍵ユニット３０，４０のヒンジ厚肉部３２ａ，４２ａの後部上面上の一部に、凹部５２ｇにより形成された空間が形成される。そして、この空間に対応したヒンジ厚肉部３２ａ，４２ａの上面上に、前述したゲート対応部３２ａ１，４２ａ１が設けられている。これは、ゲート対応部３２ａ１，４２ａ１に樹脂を注入して第１及び第２鍵ユニット３０，４０を一体成型した際に、ゲート対応部３２ａ１，４２ａ１に残るゲート跡（突起）に、ヒンジ厚肉部５２ａの下面が接触しないようにするためである。この場合も、特に、黒鍵５１の押鍵時には、各黒鍵５１に対応したヒンジ厚肉部５２ａが図１２（Ｂ）の破線矢印で示すように揺動するので、ゲート跡が大きいと、凹部５２ｇの底面５２ｇ１の下端がゲート跡に接触する可能性がある。しかし、底面５２ｇ１の上下方向に対する傾斜角度θ１は、内側面５２ｇ２，５２ｇ３の上下方向の傾斜角度θ２よりも大きく、かなり大きな傾斜角度である。したがって、上記第１実施形態における突出部５２ｄ，５２ｅの後面５２ｄ１，５２ｅ１の場合と同様に、凹部５２ｇの後面の下端がゲート跡に接触することを回避できる。
【００６３】
このように構成した第２実施形態に係る鍵盤装置は、上記第１実施形態の突出部５２ｄ，５２ｅとゲート対応部３２ａ１，４２ａ１との一部の組み合わせを、凹部５２ｇとゲート対応部３２ａ１，４２ａ１との組み合わせに変更したに過ぎない。そして、他の構成は、実質的には上記第１実施形態と同じである。したがって、第２実施形態においても、上記第１実施形態と同様な効果が期待できる。
【００６４】
また、この第２実施形態によれば、前述のように、凹部５２ｇの底面５２ｇ１及び左右の内側面５２ｇ２，５２ｇ３を傾斜させて、底面５２ｇ１が下方に向かうにしたがって前側に位置し、かつ内側面５２ｇ２，５２ｇ３が下方に向かうにしたがって左右外側に位置するようにした。したがって、凹部５２ｇ位置におけるヒンジ厚肉部５２ａの上面の後端を後方に位置させるとともに、ヒンジ厚肉部５２ａの上面の凹部５２ｇに対向する右端及び左端をそれぞれ凹部５２ｇの左右方向の中心側に位置させて、前記上面の面積をある程度大きくしても、黒鍵５１の押鍵時に、凹部５２ｇの底面５２ｇ１の下端がゲート跡に接触しなくなる。特に、凹部５２ｇの底面５２ｇ１の上下方向に対する傾斜角度θ１を大きくしたので、凹部５２ｇの底面５２ｇ１の下端とゲート跡との接触を回避できる。そして、凹部５２ｇの底面５２ｇ１及び左右の内側面５２ｇ２，５２ｇ３の上端とゲート対応部３２ａ１との間の隙間を狭くしても、前記底面５２ｇ１及び内側面５２ｇ２，５２ｇ３の傾斜により、凹部５２ｇの上面の面積を小さく、すなわち凹部５２ｇ位置のヒンジ厚肉部５２ａの上面の面積を大きく保つことができ、ヒンジ厚肉部５２ａによる下側部材の目隠し効果も良好に保たれる。
【００６５】
また、前記凹部５２ｇの底面５２ｇ１及び左右の内側面５２ｇ２，５２ｇ３の傾斜により、凹部５２ｇ側のヒンジ厚肉部５２ａの上部の体積をある程度大きくできるので、ヒンジ厚肉部５２ａの剛性をある程度高く確保できる。その結果、ヒンジ厚肉部５２ａに凹部５２ｇを設けた第２実施形態においても、最上段に位置する第３鍵ユニット５０のヒンジ厚肉部５２ａ及び突出部５２ｄ，５２ｅの剛性を保った状態で、鍵盤装置の外観を悪化させないようにすることができる。
【００６６】
さらに、この第２実施形態においては、上記第１実施形態でゲート対応部３２ａ１，４２ａ１の上方に空間を形成しているヒンジ厚肉部５２ａに設けた短い方の突出部５２ｄ，５２ｅをなくして、ヒンジ厚肉部５２ａに凹部５２ｇを設けるようにした。そして、前記なくした短い方の突出部５２ｄ，５２ｅに対応した左右方向位置において、隣合うヒンジ厚肉部５２ａ，５２ａ間の隙間をそれぞれ狭くした。その結果、この第２実施形態によれば、ヒンジ厚肉部５２ａによる下側部材の目隠し機能がより良好に発揮されて、鍵盤装置の外観がより良好になる。
【００６７】
なお、本発明に係る鍵盤装置は、上記第１及び第２実施形態に限定されるものではなく、適宜変更して実施することが可能である。
【００６８】
上記第２実施形態においては、ヒンジ厚肉部５２ａに設けた凹部５２ｇの平面形状をほぼ正方形状とした。しかし、凹部５２ｇの平面形状を、長方形状、半円形状、半長円形状、３角形状、正方形状の前部に三角形状を加えた５角形状などの形状にしてもよい。長方形状、半長円形状及び３角形状の場合には、前後方向に広がる内部空間を、左右方向に広がる内部空間よりも広くして、黒鍵５１の押鍵時における凹部の前側下端のゲート跡への接触を回避するようにするとよい。また、これらの変形例の場合にも、凹部の下端位置から上端位置までの前後方向の距離を、凹部の下端位置から上端位置までの左右方向の距離よりも大きくしておくとよい。
【００６９】
また、上記第１及び第２施形態においては、突出部５２ｄ，５２ｅ，５２ｆの後面５２ｄ１，５２ｅ１（ただし、５２ｆの後面については説明省略）を傾斜させて、後面５２ｄ１、５２ｅ１の下端を後面５２ｄ１、５２ｅ１の上端よりも前方に位置させた。しかし、これに代えて、後面５２ｄ１、５２ｅ１に段差を設けて、後面５２ｄ１、５２ｅ１の下端を後面５２ｄ１、５２ｅ１の上端よりも前方に位置させるようにしてもよい。これによっても、上記第１及び第２実施形態のように、突出部５２ｄ，５２ｅ，５２ｆの上面の後端を後方に位置させるとともに、突出部５２ｄ，５２ｅ，５２ｆの下部において後方に大きな空間を形成できる。
【００７０】
また、上記第２実施形態では、凹部５２ｇの底面５２ｇ１を傾斜させて、底面５２ｇ１の下端を底面５２ｇ１の上端よりも前方に位置させた。しかし、これに代えて、前記場合と同様に、底面５２ｇ１に段差を設けて、底面５２ｇ１の下端を底面５２ｇ１の上端よりも前方に位置させるようにしてもよい。これによっても、上記第２実施形態のように、凹部５２ｇが位置するヒンジ厚肉部５２ａの上面の後端を後方に位置させることができるとともに、底面５２ｇ１の下部において後方に大きな空間を形成できる。
【００７１】
また、上記第２実施形態においては、音名Ｃ＃，Ｆ＃，Ｇ＃の黒鍵５１に対応したヒンジ厚肉部５２ａの後面の右端部を前方に切欠いて凹部５２ｇを形成して、音名Ｄ，Ｇ，Ａの白鍵３１，４１に対応したヒンジ厚肉部３２ａ，４２ａのゲート対応部３２ａ１，４２ａ１を凹部５２ｇにより形成された空間に対向させるようにした。しかし、他の音名Ｃ，Ｅ，Ｆ，Ｂの全て又はその一部の白鍵３１，４１に対応したヒンジ厚肉部３２ａ，４２ａの後面にも前記凹部５２ｇと同様な凹部を設けて、他の音名Ｃ，Ｅ，Ｆ，Ｂの全て又はその一部の白鍵３１，４１に対応したヒンジ厚肉部３２ａ，４２ａのゲート対応部３２ａ１，４２ａ１を前記凹部により形成された空間に対向させるようにしてもよい。この場合、一対のヒンジ薄肉部５２ｂ，５２ｃ間の前側に白鍵３１，４１のヒンジ厚肉部３２ａ，４２ａが存在していれば、上記第２実施形態の場合と同様に、一対のヒンジ薄肉部５２ｂ，５２ｃ間に位置するヒンジ厚肉部５２ａの後面を前方に切欠いて凹部を形成するようにすればよい。しかし、一対のヒンジ薄肉部５２ｂ，５２ｃ間の前側に白鍵３１，４１のヒンジ厚肉部３２ａ，４２ａが存在していない場合には、上記第２実施形態の突出部５２ｆの前後方向幅を大きくして、一対のヒンジ薄肉部５２ｂ，５２ｃ間のヒンジ厚肉部５２ａの前後方向幅と同じにする。そして、前後方向幅を大きくした突出部５２ｆの後面を前方に切欠いて凹部を形成するようにすればよい。
【００７２】
また、上記第１実施形態では、第３鍵ユニット５０のヒンジ厚肉部５２ａに、前後方向の長さをヒンジ厚肉部５２ａより短くした突出部５２ｄ，５２ｅを設けて、第１及び第２鍵ユニット３０，４０のヒンジ厚肉部３２ａ，４２ａの後部上面の一部を上方に開放して、ヒンジ厚肉部３２ａ，４２ａの後部上面にゲート対応部３２ａ１，４２ａ１を設けるようにした。上記第２実施形態では、第３鍵ユニット５０のヒンジ厚肉部５２ａの後端側に凹部５２ｇを設けて、第１及び第２鍵ユニット３０，４０のヒンジ厚肉部３２ａ，４２ａの後部上面の一部を上方に開放して、ヒンジ厚肉部３２ａ，４２ａの後部上面にゲート対応部３２ａ１，４２ａ１を設けるようにした。すなわち、最上段である第３鍵ユニット５０のヒンジ厚肉部５２ａのみに、最上段よりも下方の第１及び第２鍵ユニット３０，４０のゲート対応部３２ａ１，４２ａ１のための空間を確保する部位を設けるようにした。しかし、中段である第２鍵ユニット４０のヒンジ厚肉部４２ａに、最下段の第１鍵ユニット３０のゲート対応部３２ａ１のための空間を確保する部位（前記凸部５２ｄ，５２ｅ又は凹部５２ｇに対応した凸部又は凹部）を設けるようにしてもよい。さらに、鍵盤装置を４段以上の鍵ユニットで構成した場合には、２段ごとに、上段側の鍵ユニットのヒンジ厚肉部に、下段側の鍵ユニットのゲート対応部のための空間を確保する部位（前記凸部５２ｄ，５２ｅ又は凹部５２ｇに対応した凸部又は凹部）を設けるようにしてもよい。
【００７３】
また、上記第１及び第２実施形態では、一対のヒンジ薄肉部３２ｂ，３２ｃ，４２ｂ，４２ｃ，５２ｂ，５２ｃをヒンジ厚肉部３２ａ，４２ａ，５２ａの左右方向の両外側端部における後面にそれぞれ接続するようにした。しかし、この一対のヒンジ薄肉部３２ｂ，３２ｃ，４２ｂ，４２ｃ，５２ｂ，５２ｃに代えて、各鍵３１，４１，５１に対して一つのヒンジ薄肉部をそれぞれ設けて、各ヒンジ薄肉部をヒンジ厚肉部３２ａ，４２ａ，５２ａの後面にそれぞれ接続するようにしてもよい。
【００７４】
また、上記第１実施形態では、全ての黒鍵５１に対して、ヒンジ厚肉部５２ａの左右両側に突出部５２ｄ，５２ｅを設けるようにした。しかし、これに代えて、各黒鍵５１の左右両側の一方のみに突出部５２ｄ（又は突出部５２ｅ）を設けて、隣接した黒鍵５１間において、ヒンジ厚肉部５２ａと突出部５２ｄ（又は突出部５２ｅ）との左右方向の隙間を小さくするようにして、下方のヒンジ厚肉部３２ａ，４２ａが上方から目立たないようにしてもよい。
【００７５】
また、上記第１実施形態におけるＣ＃，Ｄ＃音に対応した黒鍵５１，５１のヒンジ厚肉部５２ａ，５２ａ間、Ｆ＃，Ｇ＃音に対応した黒鍵５１，５１のヒンジ厚肉部５２ａ，５２ａ間、及びＧ＃，Ａ＃音に対応した黒鍵５１，５１のヒンジ厚肉部５２ａ，５２ａ間の隙間はあまり大きくないので、Ｃ＃音に対応した黒鍵５１の右側の突出部５２ｅ、Ｄ＃音に対応した黒鍵５１の左側の突出部５２ｄ、Ｆ＃音に対応した黒鍵５１の右側の突出部５２ｅ、Ｇ＃音に対応した黒鍵５１の左側の突出部５２ｄ、Ｇ＃音に対応した黒鍵５１の右側の突出部５２ｅ、及びＡ＃音に対応した黒鍵５１の左側の突出部５２ｄに関しては、省略しても大きな問題にはならない。この場合、ヒンジ厚肉部５２ａの左右方向の長さを若干長くして、ヒンジ厚肉部５２ａ，５２ａ間の左右方向の隙間をなるべく小さくするとよい。
【００７６】
また、上記第１及び第２実施形態においては、突出部５２ｄ，５２ｅの上下方向の厚さをヒンジ厚肉部５２ａの上方方向の厚さと同じにした。しかし、これに代えて、突出部５２ｄ，５２ｅの上下方向の厚さをヒンジ厚肉部５２ａの上方方向の厚さよりも小さく、例えば、ヒンジ薄肉部５２ｂ，５２ｃの上下方向の厚さとほぼ同じにしてもよい。
【００７７】
また、上記第１及び第２実施形態では、第１乃至第３鍵ユニット３０，４０，５０のヒンジ厚肉部３２ａ，４２ａ，５２ａ及びヒンジ薄肉部３２ｂ，３２ｃ，４２ｂ，４２ｃ，５２ｂ，５２ｃの形状及び寸法関係について細かく規定した。例えば、第３鍵ユニット５０のヒンジ厚肉部５２ａの前後方向の長さを第１及び第２鍵ユニット３０，４０のヒンジ厚肉部３２ａ，４２ａの前後方向の長さよりも極僅かに短くするとともに、ヒンジ厚肉部５２ａの左右方向の長さをヒンジ厚肉部３２ａ，４２ａの左右方向の長さよりも僅かに長くするようにした。また、第３鍵ユニット５０のヒンジ薄肉部５２ｂ，５２ｃの前後方向の長さを第１及び第２鍵ユニット３０，４０のヒンジ薄肉部３２ｂ，３２ｃ，４２ｂ，４２ｃの前後方向の長さとほぼ同じにするとともに、ヒンジ薄肉部５２ｂ，５２ｃの左右方向の長さをヒンジ薄肉部３２ｂ，３２ｃ，４２ｂ，４２ｃの左右方向の長さよりも僅かに短くするようにした。しかし、前記形状及び寸法関係に関しては、適宜、多少ずつ変更することも可能である。
【００７８】
さらに、上記第１及び第２実施形態では、黒鍵５１を有する第３鍵ユニット５０の共通取付け部５３が、白鍵３１，４１を有する第１及び第２鍵ユニット３０，４０の共通取付け部３３，４３上に載置されるようにして、共通取付け部５３が最上段になるようにした。しかし、白鍵３１（又は白鍵４１）に関する第１鍵ユニット３０（又は第２鍵ユニット４０）の共通取付け部３３（又は共通取付け部４３）が最上段に載置されるようにしてもよい。この場合、第１鍵ユニット３０（又は第２鍵ユニット４０）のヒンジ厚肉部３２ａ（又はヒンジ厚肉部４２ａ）の左右方向の外側端に上述した突出部５２ｄ，５２ｅと同様な突出部を設けるようにする。これによっても、ある程度の良好な外観を保ったうえで、突出部の存在により、ヒンジ薄肉部３２ｂ，３２ｃ（又はヒンジ薄肉部４２ｂ，４２ｃ）及びヒンジ厚肉部３２ａ（又はヒンジ厚肉部４２ａ）を白鍵３１（又は白鍵４１）に対して左右方向の任意の位置に配置できる。
【符号の説明】
【００７９】
１０…鍵フレーム、１１，１２…支持部、１５…上カバー、２０…電気回路基板、３０…第１鍵ユニット、４０…第２鍵ユニット、５０…第３鍵ユニット、３１，４１…白鍵、５１…黒鍵、３２，４２，５２…ヒンジ部、３２ａ，４２ａ，５２ａ…ヒンジ厚肉部、３２ａ１，４２ａ１，５１ａ１…ゲート対応部、３２ｂ，３２ｃ，４２ｂ，４２ｃ，５２ｂ，５２ｃ…ヒンジ薄肉部、５２ｄ，５２ｅ，５２ｆ…突出部、５２ｄ１，５２ｅ１…後面、５２ｇ…凹部、５２ｇ１…底面、５２ｇ２，５２ｇ３…内側面、３３，４３，５３…共通取付け部（レール部）
【図１】
2016095484.tif 000003
【図２】
2016095484.tif 000004
【図３】
2016095484.tif 000005
【図４】
2016095484.tif 000006
【図５】
2016095484.tif 000007
【図６】
2016095484.tif 000008
【図７】
2016095484.tif 000009
【図８】
2016095484.tif 000010
【図９】
2016095484.tif 000011
【図１０】
2016095484.tif 000012
【図１１】
2016095484.tif 000013
【図１２】
2016095484.tif 000014